(57)【要約】      （修正有）【課題】ＤＬＮＡなど宅内ネットワークを経由して取得した視聴制限のコンテンツを再生することができるコンテンツ再生装置を提供する。【解決手段】宅内ネットワークを介して宅内サーバ装置と通信を行いコンテンツリストおよびコンテンツを受信するネットワークインタフェース部と、該コンテンツリストの中からコンテンツの選択入力を受け付けるユーザインタフェース部と、コンテンツリストに視聴制限付きのコンテンツリストが含まれか否か判定し、視聴制限付きコンテンツリストが含まれると判定された場合にパスワードの入力を要求する制御部と、入力要求に基づき入力されたパスワードを鍵として視聴制限付きコンテンツリストをデスクランブル処理するデスクランブラを備える。【選択図】図１
2010074364.tif 000002
【特許請求の範囲】
【請求項１】
ネットワークを介して外部装置と通信を行いコンテンツリストおよびコンテンツを受信するネットワークインタフェース部と、
前記コンテンツリストの中からコンテンツの選択入力を受け付けるユーザインタフェースを生成するユーザインタフェース部と、
前記コンテンツリストに視聴制限付きのコンテンツリストが含まれるか否か判定し、前記視聴制限付きコンテンツリストが含まれると判定された場合に認証情報の入力を要求する制御部と、
前記入力要求に基づき入力された認証情報を鍵として前記視聴制限付きコンテンツリストをデスクランブル処理するデスクランブラとを備え、
前記デスクランブラは、前記ユーザインタフェースに基づき選択され、前記ネットワークインタフェース部が受信したコンテンツが視聴制限付きコンテンツであった場合に、前記認証情報を鍵として前記視聴制限付きコンテンツをデスクランブル処理することを特徴とするコンテンツ再生装置。
【請求項２】
制御部は、コンテンツリスト内に特定のＸＭＬ（Ｅｘｔｅｎｓｉｂｌｅ  Ｍａｒｋｕｐ  Ｌａｎｇｕａｇｅ）タグを検出した場合に、前記特定のＸＭＬタグで囲まれた範囲を視聴制限付きコンテンツリストであると判定することを特徴とする請求項１記載のコンテンツ再生装置。
【請求項３】
認証情報は、パスワード、または生体情報であることを特徴とする請求項１または請求項２記載のコンテンツ再生装置。
【請求項４】
ＤＬＮＡ（Ｄｉｇｉｔａｌ  Ｌｉｖｉｎｇ  Ｎｅｔｗｏｒｋ  Ａｌｌｉａｎｃｅ）に準拠したことを特徴とする請求項１から請求項３のうちのいずれか１項記載のコンテンツ再生装置。
【発明の詳細な説明】
【技術分野】
【０００１】
この発明は、コンテンツ再生装置に関し、特に外部の放送受信装置からネットワーク経由で取得したコンテンツを再生するコンテンツ再生装置に関するものである。
【背景技術】
【０００２】
従来、ＢＳ放送やＣＳ放送などを受信して再生する放送受信装置は、番組情報に埋め込まれた視聴年齢制限のためのレーティング情報と、ユーザが放送受信装置に設定した年齢制限情報を照合し、視聴年齢を制限する機能が搭載されている。例えば、ユーザが放送受信装置に「１６才」という視聴年齢を設定していた場合、Ｒ−１８指定（１８才未満の視聴には不適切な表現が含まれるもの）のコンテンツを視聴しようとすると、パスワード入力が求められ、予めユーザが放送受信装置に設定したパスワードを正確に入力しないと視聴できないように制限を掛けている。
【０００３】
一方、近年ＤＬＮＡ（Ｄｉｇｉｔａｌ  Ｌｉｖｉｎｇ  Ｎｅｔｗｏｒｋ  Ａｌｌｉａｎｃｅ）などのホーム機器が発売され、前述の放送受信装置において録画した放送コンテンツを、宅内ネットワークを経由して異なる場所に設置されたＤＬＮＡ対応のコンテンツ再生装置で再生することができる。
【発明の開示】
【発明が解決しようとする課題】
【０００４】
従来のコンテンツ再生装置は以上のように構成されているので、ネットワークを経由して通常のコンテンツを取得した場合には再生可能であるが、上述の視聴年齢制限が掛けられたコンテンツの再生には対応できないという課題があった。そのため、ＤＬＮＡなどによりネットワークを経由してコンテンツを共有できるシステムが普及しても、ネットワークを経由して取得したコンテンツに視聴年齢制限が掛けられている場合には再生することができないという課題があった。
【０００５】
この発明は、上記のような課題を解決するためになされたもので、ＤＬＮＡなどによりネットワークを経由して取得した視聴制限の掛かったコンテンツを再生することができるコンテンツ再生装置を提供することを目的とする。
【課題を解決するための手段】
【０００６】
この発明に係るコンテンツ再生装置は、ネットワークを介して外部装置と通信を行いコンテンツリストおよびコンテンツを受信するネットワークインタフェース部と、前記コンテンツリストの中からコンテンツの選択入力を受け付けるユーザインタフェースを生成するユーザインタフェース部と、前記コンテンツリストに視聴制限付きのコンテンツリストが含まれるか否か判定し、前記視聴制限付きコンテンツリストが含まれると判定された場合に認証情報の入力を要求する制御部と、前記入力要求に基づき入力された認証情報を鍵として前記視聴制限付きコンテンツリストをデスクランブル処理するデスクランブラとを備え、前記デスクランブラは、前記ユーザインタフェースに基づき選択され、前記ネットワークインタフェース部が受信したコンテンツが視聴制限付きコンテンツであった場合に、前記認証情報を鍵として前記視聴制限付きコンテンツをデスクランブル処理するものである。
【発明の効果】
【０００７】
この発明によれば、ネットワークを介して外部装置と通信を行いコンテンツリストおよびコンテンツを受信するネットワークインタフェース部と、コンテンツリストの中からコンテンツの選択入力を受け付けるユーザインタフェースを生成するユーザインタフェース部と、コンテンツリストに視聴制限付きのコンテンツリストが含まれるか否か判定し、視聴制限付きコンテンツリストが含まれると判定された場合に認証情報の入力を要求する制御部と、入力要求に基づき入力された認証情報を鍵として視聴制限付きコンテンツリストをデスクランブル処理するデスクランブラとを備え、デスクランブラは、ユーザインタフェースに基づき選択され、ネットワークインタフェース部が受信したコンテンツが視聴制限付きコンテンツであった場合に、認証情報を鍵として視聴制限付きコンテンツをデスクランブル処理するように構成したので、ＤＬＮＡなどによりネットワークを経由して取得した視聴制限の掛かったコンテンツを再生することができる。
【発明を実施するための最良の形態】
【０００８】
実施の形態１．
図１は、実施の形態１に係るコンテンツ再生装置の構成を示すブロック図である。このコンテンツ再生装置１００は、ネットワークインタフェース部１０１、デスクランブラ１０２、デコーダ１０３、リモコン１０４、リモコン受信部１０５、ユーザインタフェース部１０６、制御部１０７、グラフィックス処理部１０８、表示部１０９、音声処理部１１０およびスピーカ１１１で構成されている。また、このコンテンツ再生装置１００は、宅内ネットワーク２００を介して、複数のサーバ装置、具体的には放送受信装置３００やパソコン４００と接続されている。
【０００９】
ネットワークインタフェース部１０１は、宅内ネットワーク２００と接続され、サーバ装置である放送受信装置３００やパソコン４００から出力されるコンテンツリストやコンテンツを受信する。コンテンツを保持するサーバ装置である放送受信装置３００やパソコン４００から出力されるコンテンツを受信する。デスクランブラ１０２は、入力されるコンテンツリストおよびコンテンツのデスクランブルを行う。デコーダ１０３は、コンテンツに含まれる映像および音声を復号する。
【００１０】
リモコン１０４は、ユーザがコンテンツ再生装置１００を制御する際の入力手段である。リモコン受信部１０５は、リモコン１０４からの入力信号を受信してユーザインタフェース部１０６に伝達する。ユーザインタフェース部１０６は、ユーザに対してコンテンツリストを表示して再生コンテンツの選択入力を受け付けるユーザインタフェースを生成して提供する。制御部１０７は、ネットワークインタフェース部１０１および宅内ネットワーク２００を介してサーバ装置（放送受信装置３００、パソコン４００）と通信を行い、サーバ装置内に保有されているコンテンツリストの取得や、ユーザが再生を指定したコンテンツの取得のための制御を行う。
【００１１】
グラフィックス処理部１０８は、デコーダ１０３から出力される映像とユーザインタフェース部１０６から出力されるユーザインタフェースを統合し、表示部１０９において表示可能な形式に変換する。表示部１０９は、グラフィックス処理部１０８から入力される映像信号を表示する。音声処理部１１０はデコーダ１０３から入力される音声データを音声信号に変換し、スピーカ１１１はその変換された音声信号を再生する。
【００１２】
次に、この実施の形態１に係るコンテンツ再生装置の動作について説明を行う。図２は、実施の形態１に係るコンテンツ再生装置の動作を示すフローチャートである。
以下では、放送受信装置３００やパソコン４００などのサーバ装置内に記録された録画コンテンツを宅内ネットワーク２００経由でコンテンツ再生装置１００がストリーミング受信しながら再生する場合を例に説明を行う。コンテンツ再生装置１００および放送受信装置３００はそれぞれＤＬＮＡ規格に準拠しているものとし、録画コンテンツには通常のコンテンツと視聴年齢制限の掛かったコンテンツが含まれているものとして説明を行う。
【００１３】
ユーザが、リモコン１０４を用いて宅内ネットワーク２００に接続されたサーバ装置を検索する検索要求コマンドを入力する（ステップＳＴ１）。入力された検索要求コマンドは、リモコン受信部１０５およびユーザインタフェース部１０６を介して制御部１０７に入力され、制御部１０７は宅内ネットワーク２００に接続されたサーバ装置を検索し、検索結果をユーザインタフェース部１０６に通知する。検索結果を受け取ったユーザインタフェース部１０６はユーザに提示するための画面（図３）を作成してグラフィックス処理部１０８を介して表示部１０９に表示する（ステップＳＴ２）。
【００１４】
表示部１０９に表示される検索結果を図３に示す。図３の例では、表示部１０９にサーバ装置として検索されたリビングの放送受信装置３００および書斎のパソコン４００がリスト欄５０１および５０２に表示され、下部のメッセージ欄５０３には「接続するサーバを選択して決定ボタンを押してください」と記載されたメッセージが表示される。ユーザは、リモコン１０４を用いて接続するサーバ装置を検索結果から選択する（ステップＳＴ３）。なお、ここではユーザがサーバ装置として図３中のリビングの放送受信装置３００を選択したものとして説明を行う。
【００１５】
ユーザのリモコン１０４操作により放送受信装置３００が選択されると、制御部１０７はネットワークインタフェース部１０１を介して、選択した放送受信装置３００に録画コンテンツのコンテンツリストの提供を要求するコンテンツリスト要求コマンド（ＤＬＮＡにおけるＢｒｏｗｓｅ）を送信する（ステップＳＴ４）。ステップＳＴ４においてコンテンツ要求コマンドが入力された放送受信装置３００は、ハードディスク（図示せず）内に記録されているコンテンツに関する情報が列挙されたコンテンツリストをＸＭＬ（Ｅｘｔｅｎｓｉｂｌｅ  Ｍａｒｋｕｐ  Ｌａｎｇｕａｇｅ）文書化して返送し、コンテンツ再生装置１００が受信する（ステップＳＴ５）。
【００１６】
ここでは、放送受信装置３００のハードディスク内に視聴年齢制限の掛かっていない２つの録画コンテンツと、視聴年齢制限の掛かっている２つの録画コンテンツが記録されているものとして説明する。図４は、ＸＭＬ文書化したコンテンツリストの一例を示す図である。図４において、コンテンツ情報６０１およびコンテンツ情報６０２は視聴年齢制限の掛かってない録画コンテンツのＸＭＬ文書を示しており、コンテンツ情報６０３は視聴年齢制限の掛かっている２つの録画コンテンツのＸＭＬ文書を示している。コンテンツ情報６０１および６０２は、通常のＤＬＮＡ準拠のコンテンツ再生装置１００であれば解釈できるようにＸＭＬ文書化されている。一方、コンテンツ情報６０３は、通常のＤＬＮＡ準拠のコンテンツ再生装置１００では認識できないＸＭＬタグ「ｒａｔｉｎｇ  ｃｏｎｔｅｎｔ  ｌｉｓｔ」で囲まれている。
【００１７】
さらに、コンテンツ再生装置１００に返送されるコンテンツリストのうち、視聴年齢制限の掛かっているコンテンツ情報６０３の部分についてはスクランブルされ、容易には解読できない形式の記載に変換される。スクランブルする例としては、放送受信装置３００が保持および管理している視聴年齢制限解除用パスワードを鍵としてスクランブルを掛け、そのスクランブルしたデータを１６進表現の文字列にしてＸＭＬ文書に埋め込むなどが挙げられる。このようなスクランブル変換を行った後のコンテンツリストを図５に示す。コンテンツ情報６０３が、スクランブルされコンテンツ情報６０３´に示すような記載内容に変換される。
【００１８】
コンテンツ再生装置１００のネットワークインタフェース部１０１は、ステップＳＴ５において受信したコンテンツリストを制御部１０７に入力する（ステップＳＴ６）。制御部１０７は、受け取ったコンテンツリストを解析して視聴年齢制限が掛けられたコンテンツであることを示す特定のタグ「ｒａｔｉｎｇ  ｃｏｎｔｅｎｔ  ｌｉｓｔ」が検出されるか否か判定する（ステップＳＴ７）。ステップＳＴ７において、特定のタグ「ｒａｔｉｎｇ  ｃｏｎｔｅｎｔ  ｌｉｓｔ」は検出されないと判定された場合には、ステップＳＴ１２の処理に進む。
【００１９】
一方、ステップＳＴ７において、特定のタグ「ｒａｔｉｎｇ  ｃｏｎｔｅｎｔ  ｌｉｓｔ」を検出したと判定された場合には、制御部１０７はユーザインタフェース部１０６に対してパスワードをユーザから取得するように指示する。次に、ユーザインタフェース部１０６は図６に示すパスワード入力を求める画面を作成してグラフィックス処理部１０８を介して表示部１０９に画面表示を行う（ステップＳＴ８）。ユーザは画面表示に従ってリモコン１０４を用いてパスワード入力を行う（ステップＳＴ９）。
【００２０】
図６にパスワード入力を求める画面表示の一例を示す。図６の例では、メッセージ欄５０４に「コンテンツリストにパスワード入力の必要なコンテンツが含まれています。数字キーと矢印キーを使ってパスワードを入力してください。」と記載されたメッセージが表示される。ユーザはこのメッセージに従って、リモコン１０４を用いてパスワード入力欄５０５にパスワードを入力し、決定ボタン５０６を用いてパスワードを確定する。また、パスワード入力を間違えた場合には、キャンセルボタン５０７を用いて入力したパスワードをキャンセルし、正しいパスワードを再度入力する。
【００２１】
ステップＳＴ９において入力されたパスワードは、制御部１０７に渡される。制御部１０７は、このパスワードと、コンテンツリストのうち視聴年齢制限が掛けられたコンテンツであることを示す特定のタグ「ｒａｔｉｎｇ  ｃｏｎｔｅｎｔ  ｌｉｓｔ」内に囲まれたスクランブルがかけられた文字列部分（コンテンツ情報６０３´のうちタグを除いた文字列）をデスクランブラ１０２に入力する（ステップＳＴ１０）。
【００２２】
デスクランブラ１０２は、このパスワードを鍵としてスクランブルの掛かったコンテンツ情報６０３´部分をデスクランブルして制御部１０７に返す（ステップＳＴ１１）。制御部１０７はスクランブルの掛かっていないコンテンツリストとデスクランブラ１０２によってデスクランブルされたコンテンツリストを統合してユーザインタフェース部１０６に入力する。このコンテンツリストを受信したユーザインタフェース部１０６はユーザがコンテンツを選択するための画面を作成してグラフィックス処理部１０８を介して表示部１０９に画面表示を行う（ステップＳＴ１２）。
【００２３】
なお、ここでユーザによって正しいパスワードが入力された場合には正常にＸＭＬ記述されたコンテンツリストに変換されるが、誤ったパスワードが入力された場合には正常なＸＭＬ文書の形式に変換されず、ＸＭＬ解析時にエラーが発生してコンテンツリストには視聴年齢制限の掛かっていない部分のコンテンツのみが表示される。
【００２４】
ユーザはリモコン１０４を用いて、ステップＳＴ１２において表示部１０９に表示されるコンテンツリストから視聴を希望するコンテンツを選択する（ステップＳＴ１３）。ステップＳＴ１３において入力されたコンテンツ選択指示は、リモコン受信部１０５およびユーザインタフェース部１０６を介して制御部１０７に入力され、制御部１０７はコンテンツ要求コマンドとしてネットワークインタフェース部１０１を介して放送受信装置３００に送信する（ステップＳＴ１４）。なお、ここではユーザが視聴年齢制限つきコンテンツを選択したものとして説明する。
【００２５】
ステップＳＴ１４において送信されたコンテンツ要求コマンドを受信した放送受信装置３００は、コンテンツ要求コマンドに該当するコンテンツを視聴年齢制限解除用パスワードを鍵としてスクランブル変換し、宅内ネットワーク２００を経由して返送し、コンテンツ再生装置が受信する（ステップＳＴ１５）。
【００２６】
コンテンツ再生装置１００のネットワークインタフェース部１０１は、ステップＳＴ１５において受信したコンテンツをデスクランブラ１０２に入力する（ステップＳＴ１６）。デスクランブラ１０２は、ステップＳＴ９においてユーザが入力したパスワードを鍵としてコンテンツのデスクランブルを行う（ステップＳＴ１７）。ステップＳＴ１７においてデスクランブルされたコンテンツは、デコーダ１０３および音声処理部１１０を介してスピーカ１１１に出力されると共に、デコーダ１０３およびグラフィックス処理部１０８を介して表示部１０９に出力される（ステップＳＴ１８）。
【００２７】
以上のように、この実施の形態１によれば、専用のＸＭＬタグを理解し視聴制限が掛かっているか否かを判定する制御部１０７と、スクランブル解除方法およびパスワードを保有するデスクランブラ１０２を設けるように構成したので、ＤＬＮＡなどのネットワークを介して取得した視聴制限の掛かったコンテンツをデスクランブルして再生することができる。また、専用のＸＭＬタグを理解し、スクランブル解除方法およびパスワードを保有するコンテンツ再生装置のみが視聴制限の掛かったコンテンツを再生するように構成することができるので、視聴制限機能を有効に活用することができる。
【００２８】
なお、上記実施の形態１では、コンテンツリストおよびコンテンツのデスクランブルに用いる認証情報としてパスワードを用いる構成を示したが、指紋読取装置などを追加して設け、認証情報として指紋などの生体情報を用いるように構成してもよい。
【図面の簡単な説明】
【００２９】
【図１】実施の形態１に係るコンテンツ再生装置の構成を示すブロック図である。
【図２−１】実施の形態１に係るコンテンツ再生装置の動作を示すフローチャートである。
【図２−２】実施の形態１に係るコンテンツ再生装置の動作を示すフローチャートである。
【図３】実施の形態１に係るコンテンツ再生装置の画面表示例を示す図である。
【図４】実施の形態１に係るコンテンツリストのＸＭＬ文書例を示す図である。
【図５】実施の形態１に係るコンテンツリストのＸＭＬ文書例を示す図である。
【図６】実施の形態１に係るコンテンツ再生装置の画面表示例を示す図である。
【符号の説明】
【００３０】
１００  コンテンツ再生装置、１０１  ネットワークインタフェース部、１０２  デスクランブラ、１０３  デコーダ、１０４  リモコン、１０５  リモコン受信部、１０６  ユーザインタフェース部、１０７  制御部、１０８  グラフィックス処理部、１０９  表示部、１１０  音声処理部、１１１  スピーカ、２００  宅内ネットワーク、３００  放送受信装置、４００  パソコン。
【図１】
2010074364.tif 000003
【図２−１】
2010074364.tif 000004
【図２−２】
2010074364.tif 000005
【図３】
2010074364.tif 000006
【図４】
2010074364.tif 000007
【図５】
2010074364.tif 000008
【図６】
2010074364.tif 000009